【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者にとって有利な有利状態に移行させるか否かを決定する有利状態決定手段と、
遊技者が表示結果を導出させるために操作する導出操作手段と、
前記事前決定手段の決定結果および前記導出操作手段への操作に応じて、表示結果を導出させる制御を行なう導出制御手段と、
報知期間において前記事前決定手段の決定結果が複数種類の所定結果のうちのいずれかとなったときに当該所定結果の種類に応じた前記導出操作手段への操作手順を特定可能な操作手順情報を報知する情報報知手段と、
前記有利状態に移行させる旨の決定とともに前記入賞のうち特定入賞の発生を許容する旨が決定されたか否かに応じた割合で、当該有利状態の終了後において前記報知期間へ制御する報知期間制御手段とを備える、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せに応じて入賞が発生可能なスロットマシンに関する。
【手続補正３】
【補正対象書類名】明細書
【補正対象項目名】０００８
【補正方法】変更
【補正の内容】
【０００８】
（１）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者にとって有利な有利状態に移行させるか否かを決定する有利状態決定手段と、
遊技者が表示結果を導出させるために操作する導出操作手段と、
前記事前決定手段の決定結果および前記導出操作手段への操作に応じて、表示結果を導出させる制御を行なう導出制御手段と、
報知期間において前記事前決定手段の決定結果が複数種類の所定結果のうちのいずれかとなったときに当該所定結果の種類に応じた前記導出操作手段への操作手順を特定可能な操作手順情報を報知する情報報知手段と、
前記有利状態に移行させる旨の決定とともに前記入賞のうち特定入賞の発生を許容する旨が決定されたか否かに応じた割合で、当該有利状態の終了後において前記報知期間へ制御する報知期間制御手段とを備える。
なお、以下の構成を備えるものであってもよい。
遊技用価値（メダル）を用いて１ゲームに対して所定数の賭数を設定することによりゲームが開始可能となるとともに、複数種類の識別情報を変動表示させる可変表示領域を複数有する可変表示装置（リール２Ｌ、２Ｃ、２Ｒ）に表示結果が導出されることにより１ゲームが終了し、該可変表示装置の表示結果に応じて入賞が発生可能とされたスロットマシン（スロットマシン１）であって、
前記可変表示装置の表示結果が導出される前に、遊技者にとって有利な特別遊技状態（ＢＢ、ＲＢ、ボーナス）への移行を伴う特別入賞（特別役）を含む複数種類の入賞について発生を許容するか否かを決定する事前決定手段（内部抽選）と、
前記事前決定手段の決定結果に応じて、前記可変表示装置に表示結果を導出させる制御を行なう導出制御手段（リール回転処理）と、
前記特別入賞の発生を許容する旨が決定され、該特別入賞が発生しなかったときに、当該特別入賞の発生を許容する旨の決定を次ゲーム以降に持ち越す持越手段（特別ワーク）と、
前記特別入賞に対応する特別入賞表示結果（第１実施形態における「網７−網７−黒７」、「黒７−黒７−黒７」、「網７−網７−網７」、第２実施形態における「網７−網７−網７」、「白７−白７−白７」）が前記可変表示装置に導出されたときに、前記特別遊技状態に移行させる特別遊技状態移行手段（メイン制御部４１によりボーナスに移行させるための処理）と、
所定の開始条件が成立したとき（第１実施形態におけるリプレイ（８）〜（１０）のいずれかに入賞したとき、第２実施形態におけるリプレイ（４）に入賞したとき）に、前記特別遊技状態と異なる遊技者にとって有利な有利状態（ＲＴ（１）、ＡＴなど）に移行させる有利状態移行手段（メイン制御部４１によりＲＴ（１）に移行させるための処理）と、
前記有利状態中に前記特別入賞の発生を許容する旨を決定した場合においても当該有利状態を終了させず、前記有利状態中に消化したゲーム数が規定ゲーム数（５０ゲーム）に到達したときまたは当該規定ゲーム数に到達する以前に前記特別入賞表示結果が導出されたときに当該有利状態を終了させる有利状態終了手段（ＲＴ（１）は、いずれの特別役も入賞せずに規定ゲーム数（５０ゲーム）に到達したか、規定ゲーム数に到達する前にいずれかの特別役に入賞することで終了するようになっている）と、
前記有利状態中において、前記事前決定手段の決定結果が所定の決定結果であること、または前記複数の可変表示領域のうち一部の可変表示領域に識別情報が導出された前記可変表示装置の表示状態が前記特別入賞表示結果を導出可能であること、のうち少なくとも一方を満たしていること（第１実施形態においては、優先役に当選していないこと、優先役に当選しているがリール２Ｌ〜２Ｒのうち少なくともいずれかのリールが回転中であってすでに停止しているリールの図柄組合せが、当該優先役に入賞しない図柄組合せとなり当該優先役を取りこぼすことが確定しかつ特別役入賞となり得ること、第２実施形態においては、いずれの入賞役も当選していないはずれ時、特別役当選時、スイカ当選時）を条件として、前記有利状態の終了可能性を示唆する示唆演出（第１実施形態における終了示唆演出、第２実施形態における告知演出）を実行する示唆演出実行手段（サブ制御部９１により終了示唆演出や告知演出を実行するための処理）とを備える。
【手続補正４】
【補正対象書類名】明細書
【補正対象項目名】０２８１
【補正方法】変更
【補正の内容】
【０２８１】
操作検出コマンドは、１枚ＢＥＴスイッチ５、ＭＡＸＢＥＴスイッチ６、スタートスイッチ７、ストップスイッチ８Ｌ、８Ｃ、８Ｒ、精算スイッチ１０の検出状態、すなわちＯＮ／ＯＦＦ、これらスイッチが遊技の進行上有効な状態であるか、無効な状態であるか（１枚ＢＥＴスイッチ５、ＭＡＸＢＥＴスイッチ６の操作の受付は、賭数の設定が可能な状態で、かつ規定数の賭数が未だ設定されておらず、さらにクレジットが残っている状態で有効となりそれ以外では無効となる。スタートスイッチ７の操作の受付は、規定数の賭数が設定された後、スタートスイッチ７が操作されるまで有効となり、それ以外では無効となる。ストップスイッチ８Ｌ、８Ｃ、８Ｒの操作の受付は、リールが定速回転となり、リールの停止準備ができた後、それぞれの停止操作が検出されるまで有効となり、それ以外では無効となる。精算スイッチ１０は、ゲーム終了後、次ゲームが開始されるまでの期間においてクレジットが残存するか、賭数が設定されている場合に有効となり、それ以外は無効となる。）、を示すコマンドであり、これらスイッチの検出状態が変化したときに、その操作の受付が遊技の進行上、有効な期間であるか、無効な期間であるか、に関わらず送信される。